(57)【要約】【課題】どのような体格の被施療者であっても他人に気兼ねすることなく気軽に頭皮（頭部）のマッサージを行うことができる頭部マッサージ機を提供する。【解決手段】本発明の頭部マッサージ機１は、被施療者Ｕの頭部を覆う頭部覆い体２に被施療者の頭部をマッサージするマッサージ部５を備えていることを特徴とするものである。頭部覆い体２は、帽子形状の外覆い体３と、当該外覆い体３の内側に配備されて被施療者Ｕの頭部を覆う第１の内覆い体４１と、外覆い体３と第１の内覆い体４１との間に設けられた第２の内覆い体４２とを備えており、第１の内覆い体４１と第２の内覆い体４２との間にマッサージ部５が配備されている。【選択図】図９
2012005819.tif 000002
【特許請求の範囲】
【請求項１】
被施療者の頭部を覆う頭部覆い体に当該被施療者の頭部をマッサージするマッサージ部を備えていることを特徴とする頭部マッサージ機。
【請求項２】
前記頭部覆い体は、帽子形状の外覆い体と、当該外覆い体の内側に配備されて被施療者の頭部を覆う内覆い体とを備えており、前記外覆い体と内覆い体との間にマッサージ部が配備されていることを特徴とする請求項１に記載の頭部マッサージ機。
【請求項３】
前記マッサージ部が、前記外覆い体と内覆い体のいずれか一方に取り付けられていることを特徴とする請求項２に記載の頭部マッサージ機。
【請求項４】
前記被施療者の頭部の形状に合わせて折れ曲がり可能なベルト部材を備えると共に、前記ベルト部材に沿ってマッサージ部が取り付けられていて、
前記マッサージ部が取り付けられたベルト部材の端部が、前記外覆い体の縁部と内覆い体の縁部とで挟み込まれて固定されていることを特徴とする請求項２に記載の頭部マッサージ機。
【請求項５】
前記頭部覆い体は、帽子形状の外覆い体と、当該外覆い体の内側に配備されて被施療者の頭部を覆う第１の内覆い体と、前記外覆い体と第１の内覆い体との間に設けられた第２の内覆い体と、を備えており、
前記第１の内覆い体と第２の内覆い体との間、又は第２の内覆い体と外覆い体との間にマッサージ部が配備されていることを特徴とする請求項１に記載の頭部マッサージ機。
【請求項６】
前記外覆い体、第１の内覆い体、第２の内覆い体のいずれかにマッサージ部が取り付けられていることを特徴とする請求項５に記載の頭部マッサージ機。
【請求項７】
前記被施療者の頭部の形状に合わせて折れ曲がり可能なベルト部材を備えると共に、前記ベルト部材に沿ってマッサージ部が取り付けられていて、
前記マッサージ部が取り付けられたベルト部材の端部が、前記第１の内覆い体の縁部と第２の内覆い体の縁部とで挟み込まれて固定されていることを特徴とする請求項５に記載の頭部マッサージ機。
【請求項８】
前記マッサージ部は、磁気を発生可能なソレノイドと、当該ソレノイドで発生する磁気によって出退するマッサージ体とを有していることを特徴とする請求項１〜７のいずれかに記載の頭部マッサージ機。
【請求項９】
前記マッサージ部は、当該マッサージ部が発生する打撃力を調整可能とする打撃力調整手段を備えることを特徴とする請求項８に記載の頭部マッサージ機。
【請求項１０】
前記打撃力調整手段は、マッサージ体の突出方向前方に配備されたクッション部材であることを特徴とする請求項９に記載の頭部マッサージ機。
【発明の詳細な説明】
【技術分野】
【０００１】
本発明は、被施療者の頭部をマッサージする頭部マッサージ機に関する。
【背景技術】
【０００２】
被施療者が頭に被ってその頭部のマッサージを行う頭部マッサージ機としては、例えば特許文献１に示すようなものが知られている。
特許文献１の頭部マッサージ機は、被施療者の頭部の周囲を取り囲むヘルメットのような支持部材を備えている。この支持部材の内側には被施療者の頭頂部や後頭部に対応した位置に当て具（カフ材）が設けられており、支持部材を空気圧の作用で頭部に押し付けることにより被施療者の頭頂部や後頭部に対するマッサージが可能となっている。
【特許文献１】特開２００８−８６５２９号公報
【発明の開示】
【発明が解決しようとする課題】
【０００３】
ところで、特許文献１の頭部マッサージ機は、ヘルメットのような支持部材を備えており、また支持部材を被施療者の頭部に押し付けるベルトやエアーバッグなどの部材を付帯していて、外観が非常に大掛かりで見栄えの悪いものになっている。それゆえ、被施療者が他人に気兼ねすることなく気軽に頭皮（頭部）のマッサージを行うことができず、被施療者に快適な環境で心地よいマッサージを提供することができないという問題があった。
【０００４】
また、頭部マッサージ機を着用しようとする被施療者には体格が大きい者もいれば小さい者もいて、頭部のサイズも様々である。当然、被施療者の頭部のサイズが異なればマッサージ部（当て具）の位置がずれてしまうため、被施療者によってはマッサージして欲しい位置に対して確実なマッサージができないという問題もあった。
そこで、本発明は、上記問題点を鑑みて為されたものであって、どのような体格の被施療者であっても他人に気兼ねすることなく気軽に頭皮（頭部）のマッサージを行うことができる頭部マッサージ機を提供することを目的とする。
【課題を解決するための手段】
【０００５】
前記目的を達成するため、本発明においては以下の技術的手段を講じた。
すなわち、本発明に係る頭部マッサージ機は、被施療者の頭部を覆う頭部覆い体に当該被施療者の頭部をマッサージするマッサージ部を備えていることを特徴とする。
好ましくは、前記頭部覆い体は、帽子形状の外覆い体と、当該外覆い体の内側に配備されて被施療者の頭部を覆う内覆い体とを備えており、前記外覆い体と内覆い体との間に前記マッサージ部が配備されているとよい。
【０００６】
このように頭部覆い体、特に帽子形状の外覆い体の内側に配備された内覆い体にマッサージ部を設ければ、マッサージ部が露出状態でなくなり、他人に気兼ねすることなく気軽に頭皮（頭部）のマッサージを行うことができる。また、マッサージ部が設けられた内覆い体を帽子形状の外覆い体で覆えば、内覆い体が被施療者の頭部にぴったりとフィットするため、どのような体格の被施療者であっても頭部を確実にマッサージをすることができる。
【０００７】
好ましくは、前記マッサージ部が、前記外覆い体と内覆い体のいずれか一方に取り付けられているとよい。
好ましくは、前記被施療者の頭部の形状に合わせて折れ曲がり可能なベルト部材を備えると共に、前記ベルト部材に沿ってマッサージ部が取り付けられていて、前記マッサージ部が取り付けられたベルト部材の端部が、前記外覆い体の縁部と内覆い体の縁部とで挟み込まれて固定されているとよい。
【０００８】
好ましくは、前記頭部覆い体は、帽子形状の外覆い体と、当該外覆い体の内側に配備されて被施療者の頭部を覆う第１の内覆い体と、前記外覆い体と第１の内覆い体との間に設けられた第２の内覆い体と、を備えており、前記第１の内覆い体と第２の内覆い体との間、又は第２の内覆い体と外覆い体との間に前記マッサージ部が配備されているとよい。
好ましくは、前記外覆い体、第１の内覆い体、第２の内覆い体のいずれかにマッサージ部が取り付けられているとよい。
【０００９】
好ましくは、前記被施療者の頭部の形状に合わせて折れ曲がり可能なベルト部材を備えると共に、前記ベルト部材に沿ってマッサージ部が取り付けられていて、前記マッサージ部が取り付けられたベルト部材の端部が、前記第１の内覆い体の縁部と第２の内覆い体の縁部とで挟み込まれて固定されているとよい。
好ましくは、前記マッサージ部は、磁気を発生可能なソレノイドと、当該ソレノイドで発生する磁気によって出退するマッサージ体とを有しているとよい。
【００１０】
このようなソレノイド式（電磁式）のマッサージ機構は軽量でありながら快適なマッサージ効果を発揮できるため、頭部マッサージ機に特に好ましく用いることができる。
好ましくは、前記マッサージ部は、当該マッサージ部が発生する打撃力を調整可能とする打撃力調整手段を備えるとよい。
好ましくは、前記打撃力調整手段は、マッサージ体の突出方向前方に配備されたクッション部材であるとよい。
【発明の効果】
【００１１】
本発明にかかる頭部マッサージ機によれば、どのような体格の被施療者であっても他人に気兼ねすることなく気軽に頭皮（頭部）のマッサージを行うことができる。
【図面の簡単な説明】
【００１２】
【図１】第１実施形態の頭部マッサージ機の使用態様を示す図である。（ａ）は側面図であり、（ｂ）は正面図である。
【図２】第１実施形態の頭部マッサージ機において外覆い体を取り除いた図である。
【図３】第１実施形態の頭部マッサージ機を底面側から見た図である。
【図４】図３のＡ−Ａ線断面図（マッサージ部の断面図）である。
【図５】第２実施形態の頭部マッサージ機（内覆い体）の側面図である。
【図６】第２実施形態の頭部マッサージ機を底面側から見た図である。
【図７】その他の実施形態の図である。
【図８】第３実施形態の頭部マッサージ機を示した図である。
【図９】第４実施形態の頭部マッサージ機を示した図である。
【発明を実施するための形態】
【００１３】
［第１実施形態］
以下、本発明にかかる第１実施形態の頭部マッサージ機１を図に基づいて説明する。
図１に示すように、第１実施形態の頭部マッサージ機１は、被施療者Ｕ（被マッサージ者）の頭部を覆う頭部覆い体２と、この頭部覆い体２に外部から電力を供給する電源部（図示略）とを備えている。この電源部は、１００〜２４０Ｖの外部電源を１２Ｖ程度の電圧に下げて後述するマッサージ部５に供給できるようになっている。また、この頭部覆い体２は、帽子形状の外覆い体３と、外覆い体３の内側に配備されて被施療者Ｕの頭部を覆う内覆い体４とを備えていて、この内覆い体４には被施療者Ｕの頭部をマッサージするマッサージ部５がさらに設けられている。頭部マッサージ機１では、マッサージ部５に電源部から電力を供給してマッサージ部５を作動させることにより被施療者Ｕの頭部のマッサージが可能となる。
【００１４】
以下、頭部マッサージ機１を着用した被施療者Ｕから見た前後方向を頭部マッサージ機１を説明する際の前後方向と呼び、被施療者Ｕから見た左右方向を頭部マッサージ機１を説明する際の左右方向と呼ぶ。また、頭部マッサージ機１を着用した被施療者Ｕから見た上下方向を頭部マッサージ機１を説明する際の上下方向と呼ぶ。
図２に示すように、頭部覆い体２は、被施療者Ｕがその頭部に着用するものであって、被施療者Ｕの頭部のすぐ外側に配備される内覆い体４と、この内覆い体４を外側から覆う外覆い体３とを備えている。
【００１５】
図２及び図３に示すように、外覆い体３は、布などを縫い合わせて上方に向かって凸状の略半球状に形成されており、その内側に被施療者Ｕの頭部を収容可能となっている。外覆い体３は、この外覆い体３を見た第三者に「帽子」を連想させるような帽子形状の外観を備えており、一見しても第三者に被施療者Ｕが頭部のマッサージを受けていると感じさせないような配慮がされている。
【００１６】
外覆い体３は、被施療者Ｕの頭部との間にある程度の隙間を許容しつつ被施療者Ｕの頭部をゆったり覆うことができるように、被施療者Ｕの頭部よりやや大きめのサイズに形成されている。このように外覆い体３を被施療者Ｕの頭部よりやや大きめのサイズに形成しておけば、被施療者Ｕの頭部との間に内覆い体４が配備可能となり、この内覆い体４とそれに取り付けられたマッサージ部５とを両方とも外覆い体３で覆い隠すことが可能となる。
【００１７】
図２及び図３に示すように、内覆い体４は、外覆い体３の内側に配備されて被施療者Ｕの頭部を覆う部材である。内覆い体４は、折れ曲がり可能な材料から形成されたベルト部材６と、ベルト部材６に沿って取り付けられたマッサージ部５とを備えている。
ベルト部材６は、布やゴムなどの可撓性材料を用いて帯状に形成されており、長手方向及び／又は幅方向に折り曲げ自在となっている。このような折り曲げ自在なベルト部材６を設けることにより、内覆い体４は被施療者Ｕの頭部の形状に合わせて変形して被施療者Ｕの頭部にぴったりフィットできるようになっている。
【００１８】
ベルト部材６は、第１実施形態の内覆い体４では２本設けられており、それぞれの長手方向の中間で互いに直交状（十字状）に重ね合わせられている。そして、それぞれのベルト部材６の両端側及び両ベルト部材６の交差部にはマッサージ部５がそれぞれ設けられている。
本発明の頭部マッサージ機１は複数のマッサージ部５を有しており、第１実施形態の頭部マッサージ機１にも５つのマッサージ部５が配備されている。これらのマッサージ部５には、ベルト部材６の交差部に配備される頭頂マッサージ部５ａ、この頭頂マッサージ部５ａより前側に配備される前頭マッサージ部５ｂ、頭頂マッサージ部５ａより後側に配備される後頭マッサージ部５ｃ、頭頂マッサージ部５ａの左側に配備される左側頭マッサージ部５ｄ、及び頭頂マッサージ部５ａの右側に配備される右側頭マッサージ部５ｅがある。なお、マッサージ部５の配備位置は、これに限定されず、所望とされる施術部位に対応するように配置するとよい。
【００１９】
これらのマッサージ部５ａ〜５ｅは、いずれも電磁力を用いてマッサージ体７をソレノイド８から出し入れすることでマッサージを行う電磁式を採用している。各マッサージ部５の間には、後頭マッサージ部５ｃから頭頂マッサージ部５ａを通って前頭マッサージ部５ｂ、左側頭マッサージ部５ｄ及び右側頭マッサージ部５ｅまで伸びる配線が設けられており、電源部から供給された電流を用いて各マッサージ部５ａ〜５ｅにおいてマッサージできるようになっている。
【００２０】
図４に示すように、マッサージ部５は、中央が中空部となっているソレノイド８（導線が巻回状態となっている励磁コイル）と、このソレノイド８の中空部に同軸状に挿入され且つ中空部から出入可能となっているマッサージ体７（ピストン）とを有している。また、ソレノイド８の内覆い体４側（被被施療者Ｕ側）の表面には、マッサージ体７の先端部に接するように設けられたスプリング９（帯状のスプリング乃至はゴムベルト）が取り付けられている。
【００２１】
図４（ａ）のマッサージ部５では、このマッサージ部５のソレノイド８に電流を流されており、ソレノイド８に生起した電磁力によりマッサージ体７が中空部に収まった位置から、内覆い体４側（図中での下側）に配備されたスプリング９を引き伸ばすような形で、ソレノイド８から飛び出す方向に動く。ソレノイド８から飛び出たマッサージ体７はスプリング９の弾性力により押し返されるが、ソレノイド８に電流を流している間は押し返し力に抗ってマッサージ体７は飛び出た状態のままとなる。
【００２２】
ところが、図４（ｂ）に示すように、ソレノイド８の電流を止めると、マッサージ体７に働く力はスプリング９による押し返し力だけとなり、マッサージ体７がソレノイド８の中空部内に戻る方向に動く。
つまり、マッサージ部５では、電流がソレノイド８に供給されるとマッサージ体７の先端側の一部がソレノイド８の中空部から突出し、電流が遮断されるとマッサージ体７はスプリング９の弾性力によりソレノイド８の中央にある中空部に戻る。それゆえ、ソレノイド８にパルス電流のように電流のＯＮ／ＯＦＦが繰り返される電流を供給すれば、マッサージ体７が出退を繰り返して頭皮（頭部）に打撃マッサージ（叩きマッサージ）を加えることが可能になる。
【００２３】
上記の如く、マッサージ部５は、マッサージ体７の突出はソレノイド８の電磁力で行われ、マッサージ体７の退行はソレノイド８の前面に配備されたスプリング９（帯状のゴムベルト）によるため、マッサージ部５は無重力下でも問題なく作動する。また、左右の側頭マッサージ部５ｄ、５ｅのように上下方向に向かって切り立った状態にある患部に対しても確実にマッサージすることが可能となる。
【００２４】
なお、ソレノイド８の電流を止め場合、マッサージ体７は、患部への強力な打撃力の反作用力によりソレノイド８の中空部内に戻るように動く。それ故、ソレノイド８の前面に設けられたスプリング９が存在しなくとも、マッサージ体７が出退の繰り返し運動を実現することは可能であり、その点では、スプリング９は必須構成要件ではない。
このような電磁式（ソレノイド式）のマッサージ部５は、電動モータなどを用いた電動式マッサージ機構に比べて軽量であるため、被施療者Ｕの頭部に長時間に亘って装着しても被施療者Ｕに余計な疲労を与えにくい。また、エアバッグやエアポンプなどが必要なエアバッグ式マッサージ機構に比べて頭皮に対する強いマッサージ効果を発揮できる。それゆえ、電磁式のマッサージ機構は、頭部マッサージ機１に特に好ましく用いることができる。
【００２５】
上述した頭部マッサージ機１では、マッサージ部５が設けられた内覆い体４が帽子形状の外覆い体３に覆われていてマッサージ部５が外部から見えることがない。そのため、本発明の頭部マッサージ機１では、被施療者Ｕが他人に気兼ねすることなく頭皮（頭部）のマッサージを手軽に行え、快適な環境で心地よいマッサージを受けることができる。
また、マッサージ部５がヘルメットなどの支持部材に固定されたマッサージ機では、マッサージ部５の位置が施療して欲しい位置とずれている場合、マッサージ位置の調整が非常に困難になる。しかし、本発明の頭部マッサージ機１では、内覆い体４と外覆い体３とが別体になっていて、外覆い体３に対して内覆い体４だけをずらすことができる。そのため、マッサージ部５の位置を施療して欲しい位置に確実に位置合わせすることができ、頭部に対するより効果的なマッサージが可能となる。
【００２６】
さらに、マッサージ部５が設けられた内覆い体４は、被施療者Ｕの頭部の形状に合わせて自在に伸縮してその形状を変化させることができる。それゆえ、体格が異なる被施療者Ｕに対しても、その頭部のサイズに合わせて内覆い体４が伸縮してマッサージ部５ａ〜５ｅを被施療者Ｕの頭部にぴったりとフィットさせることができ、頭部のさらに効果的なマッサージが可能となる。
［第２実施形態］
第２実施形態の頭部マッサージ機１は、内覆い体４として、被施療者Ｕの頭部を被覆可能な半球状に形成すると共に頭部の形状に合わせて伸縮可能なインナーキャップ１０を採用している。なお、外覆い体３及びマッサージ部５については、第２実施形態の頭部マッサージ機は第１実施形態の頭部マッサージ機と同じである。
【００２７】
インナーキャップ１０は、ちょうどスイミングキャップのように下方に向かって開口する半球状に形成されており、被施療者Ｕの頭部を被覆可能となっている。インナーキャップ１０は、伸縮性のある繊維から形成された布などを縫い合わせて形成されており、頭部のサイズに合わせて自在に伸縮できるようになっている。それゆえ、例えば体格が異なる被施療者Ｕが着用した場合にも、その頭部のサイズの変化に合わせて自在に伸縮することができ、さまざまな体格の被施療者Ｕの着用を可能としている。そして、第２実施形態の内覆い体４では、このインナーキャップ１０の表面にマッサージ部５が複数取り付けられている。
【００２８】
マッサージ部５は、インナーキャップ１０の外表面における頭頂、前頭、後頭、左右側頭に対応した位置に取り付けられている。これらのマッサージ部５が設けられる位置は、第１実施形態における頭頂マッサージ部５ａ、前頭マッサージ部５ｂ、後頭マッサージ部５ｃ、左右の側頭マッサージ部５と同じ位置とされている。これらの各マッサージ部５間には電源部から電流を供給する配線が設けられている。この配線は、第２実施形態の頭部マッサージ機１では、後頭マッサージ部５ｃから頭頂マッサージ部５ａを通って前頭マッサージ部５ｂに向かうものと、後頭マッサージ部５ｃから左右の側頭マッサージ部５に向かうものとの３つで構成されている。
【００２９】
第２実施形態の頭部マッサージ機１では、内覆い体４に被施療者Ｕの頭部の形状に合わせて伸縮するインナーキャップ１０を用いており、第１実施形態と同様に内覆い体４は外覆い体３と別体に設けられている。それゆえ、第１実施形態と同様に、マッサージ部５の位置を施療して欲しい位置に確実に位置合わせすることができ、さまざまな体格の被施療者Ｕの着用も可能となっている。
【００３０】
また、第２実施形態の頭部マッサージ機１では、内覆い体４自体がマッサージ部５を被施療者の頭部に強く押し付けるため頭皮に対して効果的なマッサージが可能となり、外覆い体３にニット帽のように柔らかい材料から形成された帽子を用いることが可能となる。それゆえ、外覆い体３の設計（デザイン）の幅が広がってよりファッショナブルな頭部マッサージ機を提供することが可能となる。
【００３１】
本発明は上記各実施形態に限定されるものではなく、発明の本質を変更しない範囲で各部材の形状、構造、材質、組み合わせなどを適宜変更可能である。
上記実施形態では外覆い体３の形状が「鍔ありニット帽」とされた例を挙げて、本発明の頭部マッサージ機１を説明した。しかし、本発明のの頭部マッサージ機１に設けられる外覆い体３の形状は「鍔ありニット帽」に限定されるものではない。例えば、外覆い体３の形状を、図７（ａ）に示す「鍔なしのニット帽」または図７（ｂ）に示す「鍔なし帽子」とすることもできるし、図示はしていないが「ハンチング帽（鳥打ち帽）」、「ベレー帽」、「野球帽」、「ロシア帽」、「麦わら帽」などのさまざまな帽子とすることもできる。
【００３２】
また、上記実施形態ではマッサージ部５が被施療者Ｕの頭部における頭頂部、前頭部、後頭部、左右側頭部に対応した位置に５箇所に亘って設けられた例を挙げて、本発明の頭部マッサージ機１を説明した。しかし、本発明の頭部マッサージ機１に設けられるマッサージ部５の設置位置はこれらの位置に限定されるものではないし、設置数も５箇所に限定されるものではない。例えば、これら以外の部分で頭皮マッサージの効果が得られる位置にマッサージ部５を新たに設けたり、特にマッサージの要望が大きな位置にマッサージ部５を追加で設けたりすることも可能である。
【００３３】
さらに、上記実施形態では１００〜２４０Ｖの外部電源を１２Ｖ程度の電圧に下げてマッサージ部５に供給する電源部を備えた例を挙げて、本発明の頭部マッサージ機１を説明した。しかし、本発明の頭部マッサージ機１に用いられる電源部は外部電源を用いたものに限定されるものではない。例えば、乾電池のように取り替え可能な電源を電源部としても良いし、搭載された充電式のバッテリを電源部としても良い。
【００３４】
なお、上記実施形態では説明を省略したが、本発明の頭部マッサージ機１においては、複数のマッサージ部５を動作させる際に、その一部だけを動作させたり、各マッサージ部５のマッサージ強度、マッサージ間隔（リズム）、マッサージ時間を変更したりできるようになっている。
また、外覆い体３が柔らかい布などで形成されている場合には、外覆い体３と内覆い体４との間にカラー部材を配備して頭部マッサージ機１を帽子形状に保持するようにしてもよい。
【００３５】
なお、マッサージ部５は、頭部をマッサージするマッサージ付与手段としてだけでなく、単に頭部や頭皮に刺激を付与する刺激付与手段として設けられていても良い。また、このような刺激付与手段のマッサージ部５から頭皮に加えられる刺激は上述した「たたき（打撃）」に限定されない。例えば、刺激付与手段のマッサージ部５から頭皮に振動（バイブレーション）を加えるようにしても良いし、頭皮に触れる又は頭皮をなでるような弱いタッチ感覚の刺激を加えるようにしても良い。
［第３実施形態］
次に、本発明にかかる第３実施形態の頭部マッサージ機１を説明する。
【００３６】
図８に示すように、第３実施形態の頭部マッサージ機１は、帽子形状の外覆い体３と、外覆い体３の内側に配備されて被施療者Ｕの頭部を覆う内覆い体４とを備えており、外覆い体３と内覆い体４との間にマッサージ部５が配備されている。
詳しくは、被施療者Ｕの頭部の形状に合わせて折れ曲がり可能なベルト部材６を備え、このベルト部材６に沿ってマッサージ部５が取り付けられている。具体的には、第１実施形態と略同様に、折れ曲がり可能な材料（平ゴムなど）から形成されたベルト部材６が十字状に縫いつけられ、ベルト部材６に沿ってマッサージ部５が複数取り付けられている。
【００３７】
マッサージ部５が取り付けられたベルト部材６は、その端部が外覆い体３の縁部と内覆い体４の縁部とで挟み込まれた上で重なった状態で縫製される。縫いつけるのではなく接着剤による固定でもよい。このようにすることで、外覆い体３と内覆い体４とが一体となり頭部覆い体２が形成されると共に、外覆い体３と内覆い体４との間にマッサージ部５が配備されることとなる。言い換えれば、ベルト部材６は、外覆い体３と内覆い体４とのどちらにも固定されていることになる。
【００３８】
このような構成の頭部マッサージ機１は、マッサージ部５が帽子形状の外覆い体３に覆われていてマッサージ部５が外部から見えることがない。そのため、本発明の頭部マッサージ機１では、被施療者Ｕが他人に気兼ねすることなく頭皮（頭部）のマッサージを手軽に行え、快適な環境で心地よいマッサージを受けることができる。
ところで、マッサージ部５は、ベルト部材６を用いず、直接マッサージ部５を外覆い体３に取り付けるようにしてもよい。
【００３９】
なお、他の構成や奏する作用効果は、第１実施形態と略同様であるため、説明を省略する。
［第４実施形態］
次に、本発明にかかる第４実施形態の頭部マッサージ機１を説明する。
図９に示すように、第４実施形態の頭部マッサージ機１は、帽子形状の外覆い体３と、外覆い体３の内側に配備されて被施療者Ｕの頭部を覆う第１内覆い体４１と、外覆い体３と第１内覆い体４１との間に設けられた第２内覆い体４２とを備えている。その上で、第１内覆い体４１と第２内覆い体４２との間、又は第２内覆い体４２と外覆い体３との間にマッサージ部５が配備されている。
【００４０】
具体的には、外覆い体３は、布などを縫い合わせて上方に向かって凸状の略半球状に形成されており、その内側に被施療者Ｕの頭部を収容可能となっている。外覆い体３は、この外覆い体３を見た第三者に「帽子」を連想させるような帽子形状の外観を備えている。外覆い体３は、被施療者Ｕの頭部との間にある程度の隙間を許容しつつ被施療者Ｕの頭部をゆったり覆うことができるように、被施療者Ｕの頭部よりやや大きめのサイズに形成されている。
【００４１】
第１内覆い体４１は、外覆い体３の内側に配備されて被施療者Ｕの頭部を直接覆う部材である。第１内覆い体４１は、伸縮性のある繊維から形成された布などを縫い合わせて形成されており、頭部のサイズに合わせて伸縮できるようになっている。
第１内覆い体４１を覆うように配備される第２内覆い体４２は、第１内覆い体４１と略同様の形状を有していて布などを縫い合わせて形成されている。
【００４２】
外覆い体３の内側に沿うように第２内覆い体４２を貼り合わせ、その後、第２内覆い体４２の内側に沿うように第１内覆い体４１を貼り合わせて、各覆い体３，４１，４２の縁辺部を縫製することで頭部覆い体２が形成される（頭部覆い体２の形成工程）。つまり、本実施形態の頭部マッサージ機１は、外覆い体３、第２内覆い体４２、第１内覆い体４１の３枚構造（３層構造）となっている。
【００４３】
一方で、本発明の頭部マッサージ機１は複数のマッサージ部５を有しており、このマッサージ部５は、ベルト部材６に取り付けられている。
ベルト部材６は、２本の平ゴムが組み合わされて構成されており、それぞれの平ゴムがその長手方向の中途部で互いに直交状（十字型）に重ね合わせられている。各ベルト部材６の端側及び交差した部分の近傍にはマッサージ部５がそれぞれ設けられている。
【００４４】
マッサージ部５は、第１実施形態と略同様の構成を有していている（図４参照）。すなわち、マッサージ部５は、中央が中空部となっているソレノイド８と、このソレノイド８の中空部に同軸状に挿入され且つ中空部から出入可能となっているマッサージ体７とを有している。このマッサージ部５は、布などで形成された立方体形状の袋体１１に納められた上で、この袋体１１とベルト部材６とを縫いつけ、当該ベルト部材６に取り付けられるようになっている。
【００４５】
袋体１１に納められた状態において、マッサージ体７の突出方向前方８（被施療者Ｕの頭部側）には、布やスポンジなどで形成されたクッション部材１２が配備されている。このクッション部材１２により、マッサージ部５が発生する打撃力を弱め、被施療者Ｕにとって最適なマッサージ力を付与することが可能となる。言い換えれば、このクッション部材１２は、マッサージ部５が発生する打撃力を調整可能とする打撃力調整手段である。
【００４６】
なお、図４に示すマッサージ体７の先端部に接するように設けられたスプリング９（後端部に設けられたスプリングでも同様）も、打撃力調整手段と考えることが可能である。また、ソレノイド８に流れる電流を弱くするようにコントロールする制御部を設けている場合、この制御部が打撃力調整手段となる。
上述したように、マッサージ部５が取り付けられたベルト部材６は、ベルト部材６と相似形（十字型）で有りながら若干形状の大きい、内部空洞の収納袋体１３の内部に納められる。収納袋体１３の側部には、ベルト部材６を出し入れ可能とする開口１４と、この開口１４を閉じるファスナー１５が設けられている。
【００４７】
前述した頭部覆い体２の形成工程において、ベルト部材６が収められた収納袋体１３は、その端部（４つの端部）が第１内覆い体４１の縁部と第２内覆い体４２の縁部とで挟み込まれた上で重なった状態で縫製される。このようにすることで、マッサージ部５は、第１内覆い体４１と第２内覆い体４２との間の空間を移動自在となり、被施療者Ｕは、自分の所望とする頭部の部位にマッサージ部５を移動でき、快適な環境で心地よいマッサージを受けることができる。
【００４８】
なお、収納袋体１３の端部のみでなく全面を、第１内覆い体４１や第２内覆い体４２に縫いつけるようにしてもよい。ベルト部材６を収納袋体１３に入れることなく、ベルト部材６自体の端部を第２内覆い体４２の縁部と外覆い体３の縁部とで挟み込んだ状態で一体縫製してもよい。ベルト部材６自体を第１内覆い体４１や第２内覆い体４２に縫いつけるようにしてもよい。ベルト部材６を用いずに、マッサージ部５自体を第１内覆い体４１や第２内覆い体４２に取り付けるようにしてもよい。
【００４９】
上記したベルト部材６の配備手法を採用することで、外覆い体３の外面側に取り付けの際の縫い形が生じたりせず、頭部マッサージ機１の帽子形状を綺麗な状態で維持できる。また、ベルト部材６すなわちマッサージ部５は、第１内覆い体４１と第２内覆い体４２との間の空間を移動自在となっている故、被施療者Ｕは、自分の所望とする頭部の部位にマッサージ部５を移動でき、快適な環境で心地よいマッサージを受けることができる。
【００５０】
以上述べた第４実施形態の頭部マッサージ機１であっても、マッサージ部５が帽子形状の外覆い体３に覆われていてマッサージ部５が外部から見えることがない。そのため、本発明の頭部マッサージ機１では、被施療者Ｕが他人に気兼ねすることなく頭皮（頭部）のマッサージを手軽に行え、快適な環境で心地よいマッサージを受けることができる。
ところで、マッサージ部５は、ベルト部材６を用いず、直接マッサージ部５を第２内覆い体４２（内面側でも外面側でも可）などに取り付けるようにしてもよい。
【００５１】
なお、他の構成や奏する作用効果は、第１実施形態と略同様であるため、説明を省略する。
ところで、第３実施形態において、ベルト部材６の端部ではなく、ベルト部材６全体を内覆い体４や外覆い体３に縫いつけたり接着したりしてもよい。第４実施形態において、ベルト部材６全体を第１内覆い体４１、第２内覆い体４２、外覆い体３の少なくとも一つ以上に縫いつけたり接着したりしてもよい。
【符号の説明】
【００５２】
１    頭部マッサージ機
２    頭部覆い体
３    外覆い体
４    内覆い体
５    マッサージ部
５ａ  頭頂マッサージ部
５ｂ  前頭マッサージ部
５ｃ  後頭マッサージ部
５ｄ  左側頭マッサージ部
５ｅ  右側頭マッサージ部
６    ベルト部材
７    マッサージ体
８    ソレノイド
９    スプリング
１０  インナーキャップ
１１  袋体
１２  クッション部材（打撃力調整手段）
１３  収納袋体
１４  開口
１５  ファスナー
４１  第１内覆い体
４２  第２内覆い体
Ｕ    被施療者
【図１】
2012005819.tif 000003
【図２】
2012005819.tif 000004
【図３】
2012005819.tif 000005
【図４】
2012005819.tif 000006
【図５】
2012005819.tif 000007
【図６】
2012005819.tif 000008
【図７】
2012005819.tif 000009
【図８】
2012005819.tif 000010
【図９】
2012005819.tif 000011